(57)【要約】      （修正有）【課題】水路等の小規模な河川にかけられている小規模の橋梁に対して、橋の下に潜る必要なく点検作業が行え、かつ、製造経費が安価な水路点検装置を提供する。【解決手段】水路点検装置Ａは、撮影機能を有する点検手段４０を上面に備えた平板状の先頭浮き板１０と、先頭浮き板１０に取り付けた先頭押し込み棒３０ａと、点検手段４０に一端が接続され、先頭押し込み棒３０ａに添設され、他端に操作器具が接続された電気ケーブル４４とからなり、先頭押し込み棒３０ａと後続押し込み棒３０ｂとの連結箇所及び後続押し込み棒３０ｂ同士の連結箇所は、先頭浮き板１０に所定間隔をおいて後続する平板状の後続浮き板２０上に位置するように構成されている。【選択図】図１１
0003213525.tif 000002
【実用新案登録請求の範囲】
【請求項１】
撮影機能を有する点検手段を上面に備えた平板状の先頭浮き板と、
当該先頭浮き板に取り付けた押し込み棒と、
前記点検手段に一端が接続され、前記押し込み棒に添設され、他端に操作器具が接続された電気ケーブルとからなる
ことを特徴とする狭隘な箇所専用の水路点検装置。
【請求項２】
前記押し込み棒は、前記先頭浮き板に取り付けた先頭押し込み棒と、先頭押し込み棒に連結した１又は複数の後続押し込み棒とから構成され、
前記先頭押し込み棒と後続押し込み棒との連結箇所及び後続押し込み棒同士の連結箇所は、前記先頭浮き板に所定間隔をおいて後続する平板状の後続浮き板上に位置している
ことを特徴とする請求項１に記載の狭隘な箇所専用の水路点検装置。
【請求項３】
前記後続浮き板の上面に押し込み棒を固定するための固定具を取り付けてなる
ことを特徴とする請求項１又は２に記載の狭隘な箇所専用の水路点検装置。
【請求項４】
前記撮影機能を有する点検手段がカメラヘッドを備えており、前記操作器具がカメラヘッドの撮影方向を変化させる機能を有する
ことを特徴とする請求項１〜３のいずれか１項に記載の狭隘な箇所専用の水路点検装置。
【請求項５】
前記点検手段により得られた情報を前記電気ケーブルを通じて取得する情報取得器具を備えた
ことを特徴とする請求項１〜４のいずれか１項に記載の狭隘な箇所専用の水路点検装置。
【請求項６】
前記押し込み棒が、外筒と内筒とからなる振り出し式の伸縮構造である
ことを特徴とする請求項１〜５のいずれか１項に記載の狭隘な箇所専用の水路点検装置。
【請求項７】
前記押し込み棒が、アルミニウム製である
ことを特徴とする請求項１〜６のいずれか１項に記載の狭隘な箇所専用の水路点検装置。
【考案の詳細な説明】
【技術分野】
【０００１】
本考案は、水路にかかる橋梁の裏側に配置された電気ケーブル管等の配管の状況や水路壁を点検する装置に関し、特に狭隘な箇所の水路点検装置（以下、単に「水路点検装置」という。）に関する。
【背景技術】
【０００２】
古くは農業用の用水路や小川等の小規模の水路には、人が往来できる程度の小さい橋がかかっていたものであるが、市街地の環境や生活環境が変化することにより小さい橋梁に車が通行・往来するようになり、さらに２車線や４車線の道路幅に拡張され、川幅が狭い割には橋梁幅が次第に広くなっている。にもかかわらず、その下を流れる水路の水量に大した変化がないために、ボックスカルバート等の横方向に開口した箱形の暗渠を使用することにより水路構造及び橋梁構築は改善されてはいるものの依然として小規模のままの箇所が数多くある。このように、橋梁には、橋梁長さが短く橋梁幅が長い小規模の橋梁があり、一般道にはむしろこのような小規模の橋梁の方が多数構築されているのが現実であり、このような小規模の橋梁の裏側にももちろん電気ケーブルや水道管等の種々の配管が設置されているので、橋梁裏側の点検及び水路壁面の点検を行う必要がある。
【０００３】
このような小規模の水路に対し、道路の一部として交差する橋梁は、その裏側と水面との間が狭隘であり、かつ、水路幅に対して水路長さ（道路幅に相当）が長いため、下記特許文献１〜４に示される橋梁の裏側を点検する装置を利用することができず、橋の下に潜り込んでの配管等の点検作業及び水路壁面の点検作業を行わざるを得ないのが現状である。
【先行技術文献】
【特許文献】
【０００４】
【特許文献１】特開２０１０−２０９６６６号公報
【特許文献２】特開２０１５−２２１９９６号公報
【特許文献３】実用新案登録第３２０２２３３号公報
【特許文献４】実用新案登録第３１９４４０１号公報
【考案の概要】
【考案が解決しようとする課題】
【０００５】
しかしながら、このような小河川や用水路などの水路に設置されている橋梁は、川床から橋梁裏面の距離、水面から橋梁裏面の距離、川幅の間隔等が狭隘であることが多いために、橋梁の下に潜り込むことが困難である。しかも、このような水路は、ゴミが滞留・沈降していることが多く、また、害虫や思いも寄らない動物の住処になっている場合もあり、橋梁の下に潜り込んでの配管等の点検作業は、水路のゴミの除去や害虫の駆除等の作業を兼ねながら、かつ、恐怖を覚えながら行うことになるので、厄介で面倒な作業であった。さらに、水路内では特に区間が長くなると酸素欠乏の危険性があり、一方で換気は物理的に困難なことが多く、人が水路内に入って点検するのは安全上危険である。
【０００６】
そこで、本考案者は、このような水路等の小規模な河川にかけられているボックスカルバート等を使用した小規模の橋梁に対して、橋梁の下に潜る必要なく点検作業が行え、かつ、製造経費が安価な水路点検装置を開発した。すなわち、このような水路について、ビデオカメラ等の撮影装置のみを水面上に浮かべて橋梁の裏側や水路壁面を撮影することにより配管の状況や壁面の状況を点検することを思い付いた。
【課題を解決するための手段】
【０００７】
本考案に係る水路点検装置は、撮影機能を有する点検手段を上面に備えた平板状の先頭浮き板と、当該先頭浮き板に取り付けた押し込み棒と、前記点検手段に一端が接続され、前記押し込み棒に添設され、他端に操作器具が接続された電気ケーブルとからなることを特徴とする。
【０００８】
また、本考案に係る水路点検装置は、前記の構成に加えて、前記押し込み棒は、前記先頭浮き板に取り付けた先頭押し込み棒と、先頭押し込み棒に連結した１又は複数の後続押し込み棒とから構成され、前記先頭押し込み棒と後続押し込み棒との連結箇所及び後続押し込み棒同士の連結箇所は、前記先頭浮き板に所定間隔をおいて後続する平板状の後続浮き板上に位置している構成としてもよい。
【０００９】
上記のように構成した場合には、橋の下の奥深くまで先頭浮き板を押し込んでいくことができ、点検手段や押し込み棒が水中に沈むことがない。
【００１０】
さらに、本考案に係る水路点検装置は、前記の各構成に加えて、前記後続浮き板の上面に押し込み棒を固定するための固定具を取り付けてなる構成としてもよい。
【００１１】
このように構成した場合には、後続浮き板上で押し込み棒を連結固定するため、押し込み棒を連結するに当たっての作業性がよい。すなわち、後続浮き板上で押し込み棒を固定具により順次連結していきながら押し込み棒を橋の下の奥深くに押し込んでいく連続作業ができる。
【００１２】
さらにまた、本考案に係る水路点検装置は、前記の各構成に加えて、前記撮影機能を有する点検手段がカメラヘッドを備えており、前記操作器具がカメラヘッドの撮影方向を変化させる機能を有する構成としてもよい。
【００１３】
このように構成した場合には、点検が必要な箇所を的確に捉えて撮影することができ、かつ、上方、前方及び側方にわたる全方位的に撮影することができるので、点検に漏れがない。
【００１４】
また、本考案に係る水路点検装置は、前記の各構成に加えて、前記点検手段により得られた情報を前記電気ケーブルを通じて取得する情報取得器具を備えた構成としてもよい。
【００１５】
このように構成した場合には、点検手段により得られた情報を素早く処理できる。
【００１６】
さらに、本考案に係る水路点検装置は、前記の各構成に加えて、前記押し込み棒が、外筒と内筒とからなる振り出し式の伸縮構造である構成としてもよい。
【００１７】
このように構成した場合には、押し込み棒の全長を微調整することが可能になると共に、後続浮き板に押し込み棒を縮小した状態で固定できるので、作業が安定し長尺のものを取り扱う不具合さがない。
【００１８】
さらにまた、本考案に係る水路点検装置は、前記の各構成に加えて、前記押し込み棒が、アルミニウム製である構成としてもよい。
【００１９】
このように構成した場合には、押し込み棒が軽量でかつ強度があり、耐腐食性であるため、耐久性がある。
【考案の効果】
【００２０】
上記のように構成したことにより、本考案に係る水路点検装置は、作業者が橋の下に潜り込まなくても、先頭浮き板の上面に備えた撮影機能を有する点検手段を、水面に浮かばせながら、押し込み棒により橋の下の奥に押し込んで、橋梁の裏側に配置された配管や水路の壁面を撮影して点検することができる。したがって、人が危険な水路内に入っていく必要がなくなり、安全に点検作業が行える利点がある。
【図面の簡単な説明】
【００２１】
【図１】本考案の実施例に係る水路点検装置における先頭浮き板の斜視図である。
【図２】本考案の実施例に係る水路点検装置における後続浮き板の一部拡大図付き斜視図である。
【図３】本考案の実施例に係る水路点検装置における押し込み棒であって、最大限に伸張した状態を記す斜視図である。
【図４】本考案の実施例に係る水路点検装置における押し込み棒であって、最小限に縮めた状態を記す斜視図である。
【図５】本考案の実施例に係る水路点検装置における点検手段を示す一部省略斜視図である。
【図６】本考案の実施例に係る水路点検装置における先頭浮き板に、先頭押し込み棒と点検手段のカメラヘッド側を取り付けた状態を示す斜視図である。
【図７】本考案の実施例に係る水路点検装置における後続浮き板において、その前後に押し込み棒を取り付けた状態を示す斜視図である。
【図８】本考案の実施例に係る水路点検装置における先頭浮き板と後続浮き板とを押し込み棒により連結した状態を示す概略平面図である。
【図９】本考案の実施例に係る水路点検装置における先頭浮き板と後続浮き板とを押し込み棒により連結した状態を示す概略側面図である。
【図１０】本考案の実施例に係る水路点検装置の使用例を示し、カメラヘッドを取り付けた先頭浮き板を橋梁の下の水面に、先頭押し込み棒により押し込んだ状態を示す概略斜視図である。
【図１１】本考案の実施例に係る水路点検装置の使用例を示し、カメラヘッドを取り付けた先頭浮き板及び押し込み棒を連結した後続浮き板を橋梁の下の水面に後続押し込み棒により押し込んだ状態を示す概略斜視図である。
【考案を実施するための形態】
【００２２】
以下に本考案の好適な実施例を図１〜図１１に基づいて詳述する。
【実施例１】
【００２３】
本考案に係る水路点検装置Ａは、主として橋梁の下方を点検する点検手段と、前記点検手段を水面上に浮かせるための浮き板と、橋梁の下方奥深くに浮き板と共に点検手段を押し込む押し込み棒とから構成される。
【００２４】
浮き板は、先頭浮き板１０と後続浮き板２０とから構成される。
【００２５】
先頭浮き板１０は、点検手段４０におけるカメラヘッド４１を取り付けるためのものであって、図１に示すように、ボード１１と、その上面に取り付けたカメラヘッド取付架台１２と、押し込み棒取付具１３とから構成される。カメラヘッド取付架台１２には、後述するようにカメラヘッド４１が取り付けられ、押し込み棒取付具１３には、後述するように先頭押し込み棒３０ａの先端部が取り付けられる。ボード１１は、一般に水泳で使用するビート板と同様の、発泡ポリエチレン、エチレン酢酸ビニル又は高密度ポリエチレン等の合成樹脂製より構成され、浮力がある材質である。なお、上記材質のものに限られるものではなく、浮力があるボードであればよい。また、前記押し込み棒取付具１３は図示するものに限られるものではなく、棒状のものが取り付けられる構造のものであればよい。さらに、カメラヘッド取付架台１２は図示のものに限られるものではなく、カメラヘッド４１を取り付けることが可能なものであればよい。
【００２６】
後続浮き板２０は、先頭押し込み棒３０ａと後続押し込み棒３０ｂ又は後続押し込み棒３０ｂ同士の連結箇所が水中に沈まないようにするためのものであって、図２に示すように、ボード２１と、その上面に取り付けた固定具としての押し込み棒取付具２３とから構成される。ボード２１は、上記先頭浮き板１０と同じ材質のものであってもよいが、浮力があるボードであればその材質は何であってもよい。
【００２７】
押し込み棒取付具２３には、先頭押し込み棒３０ａの後端部と後続押し込み棒３０ｂの先端部、又は、後続押し込み棒３０ｂの後端部と後続押し込み棒３０ｂの先端部が取り付けられる。
【００２８】
押し込み棒３０（「先頭押し込み棒３０ａ」と「後続押し込み棒３０ｂ」とを総称して「押し込み棒３０」という。）は、アルミニウム製であって、図３及び図４に示すように、伸縮自在であり、外筒３１と内筒３２とからなる振り出し式の伸縮構造をなしている。また、取扱い時の重量バランス上、内筒３２側を前方側に位置させ、外筒３１側を後方側に位置させて使用する。押し込み棒３０には、先頭浮き板１０に取り付ける先頭押し込み棒３０ａと後続浮き板２０に取り付ける後続押し込み棒３０ｂとがあるが、使用しやすくすると共に製造コストを下げるために、規格を統一した同一構成としている。
【００２９】
なお、押し込み棒３０は、上記のように伸縮自在であることに限られるものではなく、伸縮しない押し込み棒であってもよい。また、その材質もアルミニウム製に限られるものではなく、ガラスファイバーやカーボンファイバー製であってもよい。
【００３０】
点検手段４０は、図５に示すように、撮影機能を有するカメラヘッド４１と、カメラヘッド４１を操作する操作器具としてのコントローラ４２と、撮影画像を記録する情報取得器具としてのコンピュータ４３と、これらの装置を電気的に接続する電気ケーブル４４とから構成される。カメラヘッド４１には撮影方向を照らし出す光源が付随している。コントローラ４２は、カメラヘッド４１を上下及び左右に方向を変化させることができる。なお、コントローラ４２が撮影画像を記録する機能を有するものであれば、コンピュータは必ずしも必要ではない。
【００３１】
図６は、先頭浮き板１０に、先頭押し込み棒３０ａの先端部と点検手段４０の一部であるカメラヘッド４１側を取り付けた状態を示す。先頭押し込み棒３０ａの先端部は、先頭浮き板１０の押し込み棒取付具１３に取り付けられ、カメラヘッド４１はカメラヘッド取付架台１２に取り付けられ、カメラヘッド４１の基部と先頭押し込み棒３０ａの先端部とが、適宜の結束紐にて結合されている。そして、先頭押し込み棒３０ａの全長に渡って、カメラヘッド４１に接続されている電気ケーブル４４が添設されており、適当箇所において先頭押し込み棒３０ａに電気ケーブル４４が適宜の結束紐にて結合されている。
【００３２】
図７は、後続浮き板２０に押し込み棒３０を連結した状態を示す。後続浮き板２０には、連結強度を向上させるために２つの押し込み棒取付具２３が取り付けられており、図において２つの押し込み棒連結具２３の上側には先行する押し込み棒３０の後端部が取り付けられ、押し込み棒連結具２３の下側には後続する押し込み棒３０の先端部が取り付けられることにより、後続浮き板２０上において前後２本の押し込み棒３０が連結されることになる。
【００３３】
図８及び図９は、先頭浮き板１０及び後続浮き板２０に、押し込み棒３０を取り付けた状態を示している。このように、押し込み棒３０を先頭浮き板１０及び後続浮き板２０に取り付けることにより、先頭浮き板１０、後続浮き板２０及び押し込み棒３０が水面上に浮かぶことになる。したがって、先頭浮き板１０に取り付けられているカメラヘッド４１が水面上を浮かびながら、押し込み棒３０により橋梁の下の奥深くにカメラヘッド４１を押し込んでいくことが可能になる。
【００３４】
図１０は、先頭浮き板１０にカメラヘッド４１を取り付け、先頭浮き板１０に取り付けた先頭押し込み棒３０ａに電気ケーブル４４を添設させながら、先頭押し込み棒３０ａを橋梁の下に押し込んでいく状態を示している。そして、先頭押し込み棒３０ａの後端部に後続浮き板２０を取り付けると共に前記後続浮き板２０に後続押し込み棒３０ｂを連結すれば、カメラヘッド４１を橋梁の下の奥に押し込んでいくことができる。そしてさらに、図１１に示すように、後続浮き板２０に後続押し込み棒３０ｂを連結し、後続押し込み棒３０ｂに後続浮き板２０を連結し、これを繰り返していけば、カメラヘッド４１を橋梁の下の奥深くに押し込んでいくことができる。
【００３５】
以上のように、本実施例に係る水路点検装置Ａは、カメラヘッド４１等の撮影機能を有する点検手段４０を上面に備えた平板状の先頭浮き板１０と、先頭浮き板１０に取り付けた押し込み棒３０と、点検手段４０に一端が接続され、押し込み棒３０に添設され、他端に操作器具４２が接続された電気ケーブル４４とから構成されており、押し込み棒３０は、先頭浮き板１０に取り付けた先頭押し込み棒３０ａと、先頭押し込み棒３０ａに連結した１又は複数の後続押し込み棒３０ｂとから構成され、先頭押し込み棒３０ａと後続押し込み棒３０ｂとの連結箇所及び後続押し込み棒３０ｂ同士の連結箇所は、先頭浮き板１０に所定間隔をおいて後続する平板状の後続浮き板２０上に位置するように構成されている。
【００３６】
したがって、橋の下の奥深くまで先頭浮き板１０を押し込んでいくことができ、点検手段４０や押し込み棒３０が水中に沈むことがない。
【００３７】
また、本実施例においては、後続浮き板２０の上面に押し込み棒３０を固定するための固定具２３を取り付けているため、後続浮き板２０上で押し込み棒３０を連結固定することができるので、押し込み棒３０を連結するに当たっての作業性がよい。すなわち、後続浮き板２０上で押し込み棒３０を固定具２３により順次連結していきながら押し込み棒３０を橋の下の奥深くに押し込んでいく連続作業ができる。
【００３８】
さらに、本実施例においては、前記撮影機能を有する点検手段４０がカメラヘッド４１を備えており、前記操作器具４２がカメラヘッド４１の撮影方向を変化させる機能を有するので、点検が必要な箇所を的確に捉えて撮影することができ、かつ、上方、前方及び側方にわたる全方位的に撮影することができるので、点検に漏れがない。
【００３９】
さらにまた、前記点検手段４０により得られた情報を前記電気ケーブル４４を通じて取得する情報取得器具４２，４３を備えているので、点検手段４０により得られた情報を素早く処理できる。
【００４０】
また、本実施例においては、押し込み棒３０が、外筒３１と内筒３２とからなる振り出し式の伸縮構造であるため、押し込み棒３０の全長を調整することが可能になると共に、後続浮き板２０に押し込み棒３０を縮小した状態でも固定できるので、作業が安定し長尺のものを取り扱う不具合さがない。
【００４１】
さらに、本実施例においては、押し込み棒３０が、アルミニウム製であるため、押し込み棒３０が軽量でかつ強度があり、耐腐食性であるため、耐久性がある。
【００４２】
上記のように構成したことにより、本実施例に係る水路点検装置Ａは、作業者が橋の下に潜り込まなくても、先頭浮き板１０の上面に備えた撮影機能を有する点検手段４０を、水面に浮かばせながら、押し込み棒３０により橋の下の奥に押し込んで、橋梁の裏側に配置された配管や水路の壁面を撮影して点検することができる。
【００４３】
以上、本考案の実施形態を説明したが、この実施形態は、例として提示したものであり、考案の範囲を限定することは意図していない。この実施形態は、その他の様々な形態で実施されることが可能であり、考案の要旨を逸脱しない範囲で、種々の省略、置き換え、変更を行うことができる。この実施形態やその変形は、考案の範囲や要旨に含まれると同様に、実用新案登録請求の範囲に記載された考案とその均等の範囲に含まれるものである。
【符号の説明】
【００４４】
Ａ………水路点検装置
Ｂ………橋梁
１０……先頭浮き板
１１……ボード
１２……カメラヘッド取付架台
１３……押し込み棒取付具
２０……後続浮き板
２１……ボード
２３……押し込み棒取付具
３０……押し込み棒
３０ａ…先頭押し込み棒
３０ｂ…後続押し込み棒
３１……押し込み棒の外筒
３２……押し込み棒の内筒
４０……点検手段
４１……カメラヘッド
４２……コントローラ
４３……コンピュータ
４４……電気ケーブル
【図１】
0003213525.tif 000003
【図２】
0003213525.tif 000004
【図３】
0003213525.tif 000005
【図４】
0003213525.tif 000006
【図５】
0003213525.tif 000007
【図６】
0003213525.tif 000008
【図７】
0003213525.tif 000009
【図８】
0003213525.tif 000010
【図９】
0003213525.tif 000011
【図１０】
0003213525.tif 000012
【図１１】
0003213525.tif 000013
【手続補正書】
【提出日】平成29年9月13日(2017.9.13)
【手続補正１】
【補正対象書類名】実用新案登録請求の範囲
【補正対象項目名】全文
【補正方法】変更
【補正の内容】
【実用新案登録請求の範囲】
【請求項１】
撮影機能を有する点検手段を上面に備えた平板状の先頭浮き板と、
当該先頭浮き板に取り付けた押し込み棒と、
前記点検手段に一端が接続され、前記押し込み棒に添設され、他端に操作器具が接続された電気ケーブルとからなる
ことを特徴とする狭隘な箇所専用の水路点検装置。
【請求項２】
前記押し込み棒は、前記先頭浮き板に取り付けた先頭押し込み棒と、先頭押し込み棒に連結した１又は複数の後続押し込み棒とから構成され、
前記先頭押し込み棒と後続押し込み棒との連結箇所及び後続押し込み棒同士の連結箇所は、前記先頭浮き板に所定間隔をおいて後続する平板状の後続浮き板上に位置している
ことを特徴とする請求項１に記載の狭隘な箇所専用の水路点検装置。
【請求項３】
前記後続浮き板の上面に押し込み棒を固定するための固定具を取り付けてなる
ことを特徴とする請求項２に記載の狭隘な箇所専用の水路点検装置。
【請求項４】
前記撮影機能を有する点検手段がカメラヘッドを備えており、前記操作器具がカメラヘッドの撮影方向を変化させる機能を有する
ことを特徴とする請求項１〜３のいずれか１項に記載の狭隘な箇所専用の水路点検装置。
【請求項５】
前記点検手段により得られた情報を前記電気ケーブルを通じて取得する情報取得器具を備えた
ことを特徴とする請求項１〜４のいずれか１項に記載の狭隘な箇所専用の水路点検装置。
【請求項６】
前記押し込み棒が、外筒と内筒とからなる振り出し式の伸縮構造である
ことを特徴とする請求項１〜５のいずれか１項に記載の狭隘な箇所専用の水路点検装置。
【請求項７】
前記押し込み棒が、アルミニウム製である
ことを特徴とする請求項１〜６のいずれか１項に記載の狭隘な箇所専用の水路点検装置。